【手続補正書】
【提出日】平成22年4月9日(2010.4.9)
【手続補正１】
【補正対象書類名】明細書
【補正対象項目名】全文
【補正方法】変更
【補正の内容】
【発明の詳細な説明】
【発明の名称】加熱調理器
【技術分野】
【０００１】
本発明は、コンロ及びグリルを備えた加熱調理器に関し、詳しくは、コンロタイマー及びグリルタイマーの残時間表示が可能な加熱調理器に関する。
【背景技術】
【０００２】
従来、複数のコンロと、１つのグリルとを備えた加熱調理器が知られている（例えば、特許文献１参照）。この従来の加熱調理器では、複数のコンロの内の右コンロを所定時間作動させるためのコンロ用タイマと、グリルを所定時間作動させるためのグリル用タイマと、タイマ残時間表示器と、タイマ残時間表示器の表示残時間が右コンロかグリルかを示すＬＥＤとを備えている。また、コンロ用タイマとグリル用タイマとが共に作動中であるときに、コンロ用タイマとグリル用タイマに対応した第１タイマの残時間表示と第２タイマの残時間表示のいずれか一方を選択するタイマ表示選択手段と、タイマ表示選択手段により選択されたタイマの残時間をタイマ残時間表示手段に表示させ、且つ、タイマ残時間表示手段に表示されている残時間が、第１タイマと第２タイマのいずれの残時間であるかを、選択タイマ表示手段に表示させる表示制御手段とを備えている。
【０００３】
【特許文献１】特開平１１−２９４７７７号公報
【発明の開示】
【発明が解決しようとする課題】
【０００４】
しかしながら、特許文献１に記載の加熱調理器では、右コンロのタイマの残時間をタイマ残時間表示手段に表示している場合には、右コンロ用表示ランプ（ＬＥＤ）を点灯し、グリルのタイマの残時間をタイマ残時間表示手段に表示している場合には、グリル用の表示ランプ（ＬＥＤ）を点灯していたので、タイマが設定できるコンロ及びグリルの数に応じて、表示ランプを設けなければならないという問題点があった。
【０００５】
本発明は、上記課題を解決するためになされたものであり、コンロ又はグリルのタイマーの残時間を表示するタイマー残時間表示手段を備えた加熱調理器において、タイマー残時間表示手段に表示されている時間が、コンロ又はグリルの何れのものかを表示する点灯部材の数を削減することを目的とする。
【課題を解決するための手段】
【０００６】
上記目的を達成するために、請求項１に係る発明の加熱調理器は、複数のコンロのうちのいずれかを第一タイマー時間作動させるためのコンロタイマーと、グリルを第二タイマー時間作動させるためのグリルタイマーと、前記コンロタイマーの残時間又は前記グリルタイマーの残時間を表示するタイマー残時間表示手段と、前記複数の各コンロに各々対応する複数の点灯部材からなり、タイマーが作動中のコンロを表示するタイマー作動コンロ表示手段と、当該タイマー作動コンロ表示手段で表示される作動中のコンロの切り替えの指示を入力する切替指示手段と、前記タイマー残時間表示手段及び前記タイマー作動コンロ表示手段の表示制御を行う制御手段とを備えた加熱調理器であって、前記制御手段は、前記切替指示手段からの切り替えの指示の入力が検出された場合には、前記タイマー残時間表示手段にてコンロタイマーの残時間の表示を行うとともに、コンロタイマーの残時間の表示がされた作動コンロに対応する前記点灯部材の表示制御を行う一方、前記切替指示手段からの切り替えの指示の入力が検出されない場合には、前記グリルタイマーの残時間の表示制御を行うとともに、前記タイマー作動コンロ表示手段の表示を停止することを特徴とする。
【０００７】
また、請求項２に係る発明の加熱調理器は、複数のコンロのうちのいずれかを第一タイマー時間作動させるためのコンロタイマーと、グリルを第二タイマー時間作動させるためのグリルタイマーと、前記コンロタイマーの残時間又は前記グリルタイマーの残時間を表示するタイマー残時間表示手段と、前記複数の各コンロに各々対応する複数の点灯部材からなり、タイマーが作動中のコンロを表示するタイマー作動コンロ表示手段と、当該タイマー作動コンロ表示手段で表示される作動中のコンロの切り替えの指示を入力する切替指示手段と、前記タイマー残時間表示手段及び前記タイマー作動コンロ表示手段の表示制御を行う制御手段とを備えた加熱調理器であって、前記制御手段は、前記切替指示手段からの切り替えの指示の入力が検出されない場合には、前記タイマー残時間表示手段にてコンロタイマーの残時間の表示を行うとともに、コンロタイマーの残時間の表示がされた作動コンロに対応する前記点灯部材の表示制御を行う一方、前記切替指示手段からの切り替えの指示の入力が検出された場合には、前記グリルタイマーの残時間の表示制御を行うとともに、前記タイマー作動コンロ表示手段の表示を停止することを特徴とする。
【０００８】
また、請求項３に係る発明の加熱調理器は、請求項１又は２に記載の発明の構成に加え、前記制御手段は、前記タイマー残時間表示手段で表示されるタイマーの残り時間が所定秒以下になった場合には、残り時間を分の表示から秒の表示に切り替えることを特徴とする。
【０００９】
また、請求項４に係る発明の加熱調理器は、請求項１乃至３の何れかに記載の発明の構成に加え、前記制御手段は、さらに、前記タイマー残時間表示手段で表示されるタイマーの残り時間が所定秒以下になった場合には、ブザーにより報知することを特徴とする。
【発明の効果】
【００１０】
請求項１に係る発明の加熱調理器では、切替指示手段からの切り替えの指示の入力が無い場合には、タイマー残時間表示手段にグリルタイマーの残時間の表示を行い、切替指示手段からの切り替えの指示の入力が有る場合には、タイマー残時間表示手段にコンロタイマーの残時間の表示を行うとともに、コンロタイマーの残時間の表示がされた作動コンロに対応する点灯部材の表示制御を行うことができる。従って、点灯部材の数をグリルに対応する分だけ削減することができる。
【００１１】
また、請求項２に係る発明の加熱調理器では、切替指示手段からの切り替えの指示の入力が無い場合には、タイマー残時間表示手段にコンロタイマーの残時間の表示を行うとともに、コンロタイマーの残時間の表示がされた作動コンロに対応する点灯部材の表示制御を行い、切替指示手段からの切り替えの指示の入力が有る場合には、タイマー残時間表示手段にグリルタイマーの残時間の表示を行うことができる。従って、点灯部材の数をグリルに対応する分だけ削減することができる。
【００１２】
また、請求項３に係る発明の加熱調理器では、請求項１又は２に記載の発明の効果に加え、タイマー残時間表示手段で表示されるタイマーの残り時間が所定秒以下になった場合には、残り時間を分の表示から秒の表示に切り替えるので、残りの時間を秒数で正確に表示できる。
【００１３】
また、請求項４に係る発明の加熱調理器では、請求項１乃至３の何れかに記載の発明の効果に加え、制御手段は、さらに、タイマー残時間表示手段で表示されるタイマーの残り時間が所定秒以下になった場合には、ブザーにより報知するので、加熱調理が終了することを使用者に報知できる。
【発明を実施するための最良の形態】
【００１４】
以下、本発明の加熱調理器の一実施形態であるガステーブル１について、図面を参照して説明する。図１は、ガステーブル１の平面図であり、図２は、ガステーブル１の正面図であり、図３は、操作パネル３０の正面図であり、図４は、ガステーブル１の電気的構成を示すブロック図である。
【００１５】
はじめに、ガステーブル１の概略構成について説明する。図１、図２に示すように、ガステーブル１の天面にはトッププレート２が設けられ、該トッププレート２の右側には右コンロ３が設けられ、トッププレート２の左側には左コンロ４が設けられ、右コンロ３及び左コンロ４の中間部には、奥コンロ５が設けられている。また、右コンロ３は、トッププレート２に穿設された開口部６の内側に設けられた強火力バーナ９と、当該強火力バーナ９を取り囲む五徳１２とから構成され、左コンロ４は、トッププレート２に穿設された開口部７の内側に設けられた標準バーナ１０と、当該標準バーナ１０を取り囲む五徳１３とから構成され、奥コンロ５は、トッププレート２に穿設された開口部８の内側に設けられた低火力バーナ１１と、当該低火力バーナ１１を取り囲む五徳１４とから構成されている。
【００１６】
また、図２に示すように、ガステーブル１の正面中央にはグリル１７が設けられ、該グリル１７のグリル庫（図示外）内には、被調理物を加熱するためのグリルバーナ（図示外）が設けられている。
【００１７】
さらに、図１に示すように、トッププレート２の後方には、グリル１７のグリル排気口（図示外）が設けられ、該グリル排気口には、グリル排気口からの炎の立上がりを遮断するための排気口カバー１５，１６が着脱可能に設けられている。これら排気口カバー１５，１６には複数の排気孔が各々設けられている。
【００１８】
また、図１及び図２に示すように、ガステーブル１の使用者に対向する前面の右側には、右コンロ３の強火力バーナ９の点火を行う操作スイッチ２１と、グリル１７のグリルバーナ（図示外）の点火を行う操作スイッチ２２とが並んで設けられ、さらに、ガステーブル１の前面の左側には、左コンロ４の標準バーナ１０の点火を行う操作スイッチ２４と、奥コンロ５の低火力バーナ１１の点火を行う操作スイッチ２３とが並んで設けられている。また、操作スイッチ２１の上側には、右コンロ３の強火力バーナ９の火力を手動で調整できる火力調節レバー２５が設けられ、操作スイッチ２２の上側には、グリル１７のグリルバーナ（図示外）の火力を手動で調整できる火力調節レバー２６が設けられ、操作スイッチ２４の上側には、標準バーナ１０の火力を手動で調整できる火力調節レバー２８が設けられ、操作スイッチ２３の上側には、奥コンロ５の低火力バーナ１１の火力を手動で調整できる火力調節レバー２７が設けられている。さらに、操作スイッチ２３，２４の下部には、タイマー作動コンロ表示手段を備えた操作パネル３０が開閉可能に設けられている。
【００１９】
次に、図３を参照して、操作パネル３０の構造を説明する。図３に示すように、操作パネル３０は、正面視、横長の長方形に形成され、右側にタイマーの残り時間を表示する２桁の７セグＬＥＤからなる残時間表示部３１が設けられている。また、残時間表示部３１の右側に、タイマーの設定時に残り時間を増減する＋キー３２、−キー３３が設けられている。また、残時間表示部３１の左側の上部には、残時間表示部３１に表示されている時間が、右コンロ３である場合に点灯する右コンロランプ３５、左コンロ４である場合に点灯する左コンロランプ３６、奥コンロ５である場合に点灯する奥コンロランプ３７が設けられている。また、残時間表示部３１の左側の下部には、残時間表示部３１に表示されるタイマーの残時間を右コンロ３、左コンロ４、奥コンロ５（及びグリル１７）の何れを表示するか選択するタイマー選択キー３４が設けられている。尚、右コンロランプ３５、左コンロランプ３６及び奥コンロランプ３７が、「タイマー作動コンロ表示手段」を構成し、タイマー選択キー３４が、「切替指示手段」を構成する。
【００２０】
尚、この操作パネル３０では、残時間表示部３１に残時間が表示されている場合に、グリル１７のグリルタイマーが作動していない場合に、右コンロランプ３５、左コンロランプ３６、奥コンロランプ３７の何れかが点灯している場合には、残時間表示部３１に表示されている残時間は、その点灯しているランプの示すコンロの残時間を示している。また、右コンロランプ３５、左コンロランプ３６、奥コンロランプ３７の何れも点灯していないときに、残時間表示部３１に表示されている残時間は、グリル１７のグリルタイマーの残時間を示している。また、グリル１７のグリルタイマーと、コンロタイマーが同時に作動している場合には、残時間表示部３１に表示される残時間は、グリル１７のグリルタイマーの残時間がコンロタイマーの残時間表示に優先して表示され、コンロタイマーの設定時のみ、残時間表示部３１に、コンロタイマーの残時間がグリル１７のグリルタイマーの残時間表示に優先して表示される。そして、残時間表示部３１に表示されている残時間が「０」となると、該当のコンロ又はグリルが消火されるようになっている。
【００２１】
また、操作パネル３０上でタイマー選択キー３４の左側には、揚げもの温度設定及び湯沸／炊飯設定の取り消しキー３８が設けられ、取り消しキー３８の左側には、炊飯と湯沸の切り替えのための炊飯湯沸切替キー４０が設けられ、その上部に、現在が炊飯設定か湯沸設定かを表示する湯沸表示ランプ４１及び炊飯表示ランプ４２が設けられている。また、炊飯湯沸切替キー４０の左側には、揚げものの温度設定を切り替える揚げもの温度設定キー４３と、設定温度が１６０度の場合に点灯する１６０度ランプ４４、設定温度が１８０度の場合に点灯する１８０度ランプ４５、設定温度が２００度の場合に点灯する２００度ランプ４６が設けられている。
【００２２】
また、この操作パネル３０内には、ブザー等を鳴らすためのスピーカ６１（図４参照）が設けられている。このブザーの報知は、一例として、タイマーの残り時間が３０秒になると、スピーカ６１から警告音が発せられ、残時間表示部３１の表示は、分単位の表示から秒単位の表示に切り替わるようになっている。さらに、操作スイッチ２１，２２の下部には、乾電池が設置される電池ボックス３９が設けられている。尚、ガステーブル１内には、図示しない強火力バーナ９、標準バーナ１０、低火力バーナ１１及びグリル１７のグリルバーナにガスを供給するガス供給管が配管されている。そして、各ガス供給管には、各バーナーへのガスの供給を調整し火力を調整する調整弁５８（図４参照）と、各バーナーへのガスの供給を遮断する安全弁５９（図４参照）とが設けられている。
【００２３】
次に、図４を参照して、ガステーブル１の電気的制御回路について説明する。ガステーブル１は、各種バーナの火力制御を行うマイコン制御回路５０を備えている。このマイコン制御回路５０には、図示しないＣＰＵ、ＲＯＭ、ＲＡＭ、Ｉ／Ｏインタフェイス等が設けられている。また、マイコン制御回路５０には、電池ボックス３９（図２参照）に搭載される２つの乾電池３９ａ，３９ｂによって各種回路に電源を供給する電源回路５１と、操作スイッチ２１，２２，２３，２４の押下を各々検出するスイッチ入力回路５２と、バーナーに設けられたサーミスタ５３ａから各々出力される検出信号が入力されるサーミスタ入力回路５３と、操作パネル３０から各種の指示が入力される操作パネル入力回路５４と、各バーナを点火するためのイグナイタ５７を駆動させるためのイグナイタ回路５５と、調整弁５８及び安全弁５９の開閉用の電磁弁回路５６とが設けられている。
【００２４】
また、マイコン制御回路５０には、電源回路５１から供給される電源の電圧を監視する電圧監視回路６０と、スピーカ６１からブザー音を出力するためのブザー出力回路６２と、電源回路５１からの電源が断たれても記憶内容を保持できる半導体メモリである不揮発性メモリ回路６３と、操作パネル３０に設けられた各種ランプ３５，３６，３７，４１，４２，４４，４５，４６を構成するＬＥＤの点灯を制御するＬＥＤ制御回路６４が接続されている。そして、電源回路５１は、マイコン制御回路５０、スイッチ入力回路５２、サーミスタ入力回路５３、操作パネル入力回路５４、イグナイタ回路５５、電磁弁回路５６、電圧監視回路６０、ブザー出力回路６２、不揮発性メモリ回路６３、ＬＥＤ制御回路６４に各々接続され、各回路に電源を供給している。また、マイコン制御回路５０には、右コンロ３、左コンロ４、奥コンロ５のタイマーの残時間を各々カウントするコンロタイマー回路５０ａ及びグリル１７のグリルタイマーの残時間を各々カウントするグリルタイマー回路５０ｂ設けられている。尚、マイコン制御回路５０及びＬＥＤ制御回路６４が、「制御手段」に相当する。
【００２５】
次に、図５乃至図８に示すフローチャートを参照して、ガステーブル１のタイマーの制御を説明する。図５は、ガステーブル１のタイマーの制御のメインのフローチャートであり、図６は、グリルタイマー単独作動処理のサブルーチンのフローチャートであり、図７は、コンロタイマー単独作動処理のサブルーチンのフローチャートであり、図８は、グリルタイマー作動中のコンロタイマー作動処理のサブルーチンのフローチャートである。
【００２６】
まず、ガステーブル１のタイマーの制御では、グリル１７を使用中か否かを判断する（Ｓ１）。グリル１７を使用中の場合に（Ｓ１：ＹＥＳ）、使用中のコンロが無い場合（Ｓ２：ＮＯ）又は、グリル１７が使用中の場合に（Ｓ１：ＹＥＳ）、使用中のコンロが有るが（Ｓ２：ＹＥＳ）、コンロタイマーの設定がなされていない場合に（Ｓ３：ＮＯ）、グリルタイマー単独作動処理（Ｓ８）を行う。また、グリル１７が使用中でなく（Ｓ１：ＮＯ）、使用中のコンロが有り（Ｓ５：ＹＥＳ）、コンロタイマーの設定がある場合に（Ｓ６：ＹＥＳ）、コンロタイマー単独作動処理（Ｓ７）を行う。また、グリル１７が使用中の場合に（Ｓ１：ＹＥＳ）、使用中のコンロが有り（Ｓ２：ＹＥＳ）、コンロタイマーの設定が有る場合には（Ｓ３：ＹＥＳ）、グリルタイマー作動中のコンロタイマー作動処理（Ｓ４）を行う。また、グリル１７が使用中でなく（Ｓ１：ＮＯ）、使用中のコンロが無い場合（Ｓ５：ＮＯ）、及び、グリル１７が使用中でなく（Ｓ１：ＮＯ）、使用中のコンロが有るが（Ｓ５：ＹＥＳ）、コンロタイマーの設定が無い場合には（Ｓ６：ＮＯ）、タイマーの作動処理を行わない。
【００２７】
次に、グリルタイマー単独作動処理（Ｓ８）のサブルーチンを図６を参照して説明する。このグリルタイマー単独作動処理では、グリル１７の点火後、操作パネル３０の残時間表示部３１に「９」を表示し、タイマーがスタートする（Ｓ１１）。この「９」の表示は、９分後にグリル１７のグリルバーナーが消火することを意味する。次いで、タイマー時間の変更が有る場合（Ｓ１２：ＹＥＳ）、具体的には、＋キー３２又は−キー３３が押下された場合には（Ｓ１２：ＹＥＳ）、スピーカ６１からブザー音「ピッ」を発し、操作パネル３０の残時間表示部３１の表示を「１」〜「１５」分の間で加熱時間を変更することができる（Ｓ１３）。
【００２８】
次いで、グリル１７のグリルタイマー終了の３０秒前になると（Ｓ１４：ＹＥＳ）、スピーカ６１からブザー音「ピピッ」の４回連続を３回繰り返して発し、操作パネル３０の残時間表示部３１の表示を分表示から秒表示に切り換えて「３０」を表示し（Ｓ１５）、残りの時間が３０秒であることを示し、以下カウントダウンする。尚、グリル１７のグリルタイマー終了時間が３０秒より残っていると（Ｓ１４：ＮＯ）、Ｓ１２に戻る。また、Ｓ１５の処理を過ぎて、タイマー時間に変更が有る場合には（Ｓ１６：ＹＥＳ）、具体的には、＋キー３２又は−キー３３が押下された場合には（Ｓ１６：ＹＥＳ）、Ｓ１３に戻り、タイマー時間に変更が無い場合に（Ｓ１６：ＮＯ）、グリル１７のグリルタイマーの残時間が０秒になり、タイマーが終了の場合（Ｓ１７：ＹＥＳ）、グリル１７のグリルバーナーを消火し（Ｓ１８）、スピーカ６１からブザー音「ピー」を５回繰り返して発し、操作パネル３０の残時間表示部３１の表示を「０」にする（Ｓ１９）。その後、図５のフローチャートにリターンする。
【００２９】
次に、コンロタイマー単独作動処理（Ｓ７）のサブルーチンを図７を参照して説明する。このコンロタイマー単独作動処理では、何れかのコンロを点火後、操作パネル３０のタイマー選択キー３４を押して、タイマーを設定する該当のコンロを選択する。例えば、左コンロ４のコンロタイマーを設定する場合には、タイマー選択キー３４を押すと、スピーカ６１からブザー音「ピッ」を発し、左コンロランプ３６が５秒間点滅し、操作パネル３０の残時間表示部３１に「３」が表示される（Ｓ３２）。尚、タイマー選択キー３４を押すごとに、左コンロランプ３６点滅、右コンロランプ３５点滅、奥コンロランプ３７点滅、コンロランプの消灯（グリルを意味する）の順に選択が行われ、以後繰り返す。
【００３０】
次に、タイマー時間の変更が有る場合には（Ｓ３３：ＹＥＳ）、即ち、コンロランプの５秒間の点滅中に、＋キー３２又は−キー３３が押下されると（Ｓ３３：ＹＥＳ）、スピーカ６１からブザー音「ピッ」を発し、操作パネル３０の残時間表示部３１の表示を「１」〜「６０」分の間で加熱時間を変更することができる（Ｓ３４）。そして、最後の操作から５秒が経過すると、コンロのランプ（例えば、左コンロランプ３６）が点灯し、そのコンロタイマーがスタートする（Ｓ３５）。尚、タイマー時間の変更が無い場合には（Ｓ３３：ＮＯ）、Ｓ３５に移行する。
【００３１】
次いで、タイマー時間に変更が無い場合に（Ｓ３６：ＹＥＳ）、タイマー終了の３０秒前になると（Ｓ３７：ＹＥＳ）、操作パネル３０の残時間表示部３１の表示を分表示から秒表示に切り換えて「３０」を表示し、以下カウントダウンする（Ｓ３８）。また、タイマー時間に変更が有る場合には（Ｓ３６：ＮＯ）、タイマー選択キー３４を押下されると（Ｓ４４：ＹＥＳ）、スピーカ６１からブザー音「ピッ」を発し、現在のコンロランプが５秒間点滅し（Ｓ４３）、Ｓ３４に戻る。
【００３２】
また、Ｓ３９の判断処理で、タイマー時間に変更が無い場合に（Ｓ３９：ＹＥＳ）、タイマーの残時間が０秒になると（Ｓ４０：ＹＥＳ）、該当のコンロバーナーを消火し（Ｓ４１）、スピーカ６１からブザー音「ピー」を５回繰り返して発し、該当のコンロランプを消灯し、操作パネル３０の残時間表示部３１の表示を「０」にする（Ｓ４２）。その後、図５のフローチャートにリターンする。尚Ｓ３９の判断処理で、タイマー時間に変更が有る場合に（Ｓ３９：ＮＯ）には、Ｓ４４に移行する。
【００３３】
次に、グリルタイマー作動中のコンロタイマー作動処理（Ｓ４）のサブルーチンを図８に示すフローチャートを参照して説明する。このグリルタイマー作動中のコンロタイマー作動処理では、まず最初に、グリル１７の点火後、操作パネル３０の残時間表示部３１に「９」が表示され、＋キー３２又は−キー３３の操作により、１〜１５分の何れかがセットされて、タイマーがスタートする（Ｓ５１）。尚、この状態の時のタイマーの作動状態は、グリルタイマーの作動のみであり、残時間表示部３１に表示されるのは、グリルタイマーの残時間である（Ｓ５１）。また、各コンロランプ３５，３６，３７は、何れも点灯しない。
【００３４】
次いで、コンロを点火し、タイマー選択キー３４が押下されると（Ｓ５２：ＹＥＳ）、その回数に応じてコンロタイマーが設定できる（Ｓ５３）。具体的には、まず、タイマー選択キー３４を押下し、タイマーを設定するコンロを選択する（Ｓ５２）。この場合のコンロの選択は、コンロタイマー単独作動処理と同様であり、タイマー選択キー３４の１回押下で（Ｓ５２：ＹＥＳ）、左コンロランプ３６が５秒間点滅し、残時間表示部３１に「３」が表示される（Ｓ５３）。この「３」の表示は、左コンロ４が３分後に消火されることを意味する。尚、左コンロランプ３６の５秒間の点滅中に、＋キー３２又は−キー３３を押下することにより、１〜６０分の範囲で加熱時間をセットできる（Ｓ５３）。その後、左コンロ４のタイマーがスタートし、左コンロランプ３６が点滅から点灯に代わる（Ｓ５４）。このときに、残時間表示部３１には、グリルタイマーの残時間が優先して表示されることになるが、左コンロランプ３６も点灯しているので、グリル１７のグリルタイマーと左コンロ４のタイマーの両方が作動していることが使用者に分かる。
【００３５】
また、タイマー選択キー３４を２回押下した場合には（Ｓ５２：ＹＥＳ）、右コンロランプ３５が５秒間点滅し、残時間表示部３１に「３」が表示され（Ｓ５３）、右コンロ３のタイマーを右コンロランプ３５の５秒間の点滅中に、＋キー３２又は−キー３３を押下することにより、１〜６０分の範囲で加熱時間をセットできる（Ｓ５３）。その後、右コンロ３のタイマーがスタートし、右コンロランプ３５が点滅から点灯に代わる（Ｓ５４）。このときに、残時間表示部３１には、グリルタイマーの残時間が優先して表示されることになるが、右コンロランプ３５も点灯しているので、グリル１７のグリルタイマーと右コンロ３のタイマーの両方が作動していることが使用者に分かる。
【００３６】
また、タイマー選択キー３４を３回押下した場合には（Ｓ５２：ＹＥＳ）、奥コンロランプ３７が５秒間点滅し、残時間表示部３１に「３」が表示され（Ｓ５３）、奥コンロ５のタイマーを奥コンロランプ３７の５秒間の点滅中に、＋キー３２又は−キー３３を押下することにより、１〜６０分の範囲で加熱時間をセットできる（Ｓ５３）。その後、奥コンロ５のタイマーがスタートし、奥コンロランプ３７が点滅から点灯に代わる（Ｓ５４）。このときに、残時間表示部３１には、グリルタイマーの残時間が優先して表示されることになるが、奥コンロランプ３７も点灯しているので、グリル１７のグリルタイマーと奥コンロ５のタイマーの両方が作動していることが使用者に分かる。
【００３７】
次に、コンロタイマーのスタート後に、タイマー選択キー３４が押下された場合には（Ｓ５５：ＹＥＳ）、また、Ｓ５３に戻り、タイマー選択キー３４の押下回数に対応したコンロタイマーの残時間が残時間表示部３１に表示され、該当のコンロランプが５秒間点滅して、前記同様に、＋キー３２又は−キー３３を押下することにより、１〜６０分の範囲で加熱時間を変更できる（Ｓ５３）。その後、コンロタイマーがスタートし、前記同様に点滅しているコンロランプが点灯に代わる（Ｓ５４）。尚、Ｓ５５の判断処理で、タイマー選択キー３４が押下されていない場合に（Ｓ５５：ＮＯ）、グリル１７のグリルタイマー終了３０秒前になった場合には（Ｓ５６：ＹＥＳ）、残時間表示部３１の表示を分表示から秒表示に切り替える（Ｓ５７）。次いで、グリル１７のグリルタイマーの残時間が０秒となり、グリル１７のグリルタイマーが終了した場合には（Ｓ５８：ＹＥＳ）、残時間表示部３１の表示をコンロタイマーの残時間表示に切り替え、残時間表示部３１に残時間を表示しているコンロのコンロランプを点灯する（Ｓ５９）。そして、コンロタイマー終了３０秒前になった場合には（Ｓ６０：ＹＥＳ）、残時間表示部３１の表示を分表示から秒表示に切り替える（Ｓ６１）。次いで、当該コンロタイマーの残時間が０秒となり、コンロタイマーが終了した場合には（Ｓ６２：ＹＥＳ）、点灯しているコンロランプを消灯して（Ｓ６９）、図５のフローチャートにリターンする。
【００３８】
また、Ｓ５６の判断処理で、グリル１７のグリルタイマーの残時間が３０秒より残っている場合に（Ｓ５６：ＮＯ）、Ｓ５３で選択したコンロタイマーが３０秒より残っている場合は、Ｓ５６に戻る。そして、コンロタイマーが終了３０秒前になり（Ｓ６３：ＹＥＳ）、コンロタイマーが終了した場合には（Ｓ６４：ＹＥＳ）、残時間表示部３１には、グリル１７の残時間を表示したまま、コンロランプを消灯する（Ｓ６５）。そして、グリル１７のグリルタイマー終了３０秒前になった場合には（Ｓ６６：ＹＥＳ）、残時間表示部３１の表示を分表示から秒表示に切り替える（Ｓ６７）。次いで、グリル１７のグリルタイマーの残時間が０秒となり、グリル１７のグリルタイマーが終了した場合には（Ｓ６８：ＹＥＳ）、図５のフローチャートにリターンする。
【００３９】
以上、説明したように本実施の形態のガステーブル１では、操作パネル３０の残時間表示部３１に残時間が表示されている場合に、グリル１７のグリルタイマーが作動していない場合に、右コンロランプ３５、左コンロランプ３６、奥コンロランプ３７の何れかが点灯している場合には、残時間表示部３１に表示されている残時間は、その点灯しているランプの示すコンロの残時間となる。また、右コンロランプ３５、左コンロランプ３６、奥コンロランプ３７の何れも点灯していないときに、残時間表示部３１に表示されている残時間は、グリル１７のグリルタイマーの残時間を示している。また、グリルタイマーと、コンロタイマーが同時に作動している場合には、残時間表示部３１に表示される残時間は、グリル１７のグリルタイマーの残時間がコンロタイマーの残時間表示に優先して表示され、コンロタイマーの設定時のみ５秒間、コンロタイマーの残時間がグリルタイマーの残時間表示に優先して表示される。従って、残時間表示部３１に表示されているタイマー残時間がグリルタイマーの残時間であることを示すランプを設ける必要がなく、ランプの数を節減できる。
【００４０】
尚、本発明は上記実施の形態に限られず、各種の変形が可能である。例えば、本発明は、ガステーブルに限らず、複数のコンロとグリルを備えた加熱調理器であれば、何れにも適用できる。尚、点灯部材としての各ランプは、必ずしもＬＥＤに限られず、豆電球等を用いても良い。また、コンロタイマーの設定時に、グリルタイマーに優先してコンロタイマーの残時間を表示するのは、５秒間に限られず、任意の時間を予め設定しておけばよい。
【図面の簡単な説明】
【００４１】
【図１】ガステーブル１の平面図である。
【図２】ガステーブル１の正面図である。
【図３】操作パネル３０の正面図である。
【図４】ガステーブル１の電気的構成を示すブロック図である。
【図５】ガステーブル１のタイマーの制御のメインのフローチャートである。
【図６】グリルタイマー単独作動処理のサブルーチンのフローチャートである。
【図７】コンロタイマー単独作動処理のサブルーチンのフローチャートである。
【図８】グリルタイマー作動中のコンロタイマー作動処理のサブルーチンのフローチャートである。
【符号の説明】
【００４２】
１  ガステーブル
２  トッププレート
３  右コンロ
４  左コンロ
５  奥コンロ
９  強火力バーナ
１０  標準バーナ
１１  低火力バーナ
１７  グリル
２１  操作スイッチ
２２  操作スイッチ
２３  操作スイッチ
２４  操作スイッチ
３０  操作パネル
３１  残時間表示部
３２  ＋キー
３３  −キー
３４  タイマー選択キー
３５  右コンロランプ
３６  左コンロランプ
３７  奥コンロランプ
３８  取り消しキー
５０  マイコン制御回路
５０ａ  コンロタイマー回路
５０ｂ  グリルタイマー回路
【手続補正２】
【補正対象書類名】図面
【補正対象項目名】図４
【補正方法】変更
【補正の内容】
【図４】
2009002542.tif 000001
【手続補正３】
【補正対象書類名】図面
【補正対象項目名】図８
【補正方法】変更
【補正の内容】
【図８】
2009002542.tif 000002